(57)【要約】【課題】  デジタルマルチメディア放送受信用移動端末における音声通話時のオーディオ信号を処理する装置及び方法を提供する。【解決手段】  圧縮符号化されたオーディオ／映像信号が多重化され伝送されるデジタルマルチメディア信号を受信できる移動端末において、無線受信部は、音声通話用無線信号を受信し、該信号を符号化信号に変換し、音声処理部は、符号化信号を電気的音声信号に変換してスピーカーを経て出力し、逆多重化器は、デジタルマルチメディア信号を受信し、該信号から多重化されたオーディオ／映像信号を分離し、復号部は、分離された各信号を復号し、各復号信号をスピーカーと表示部に提供し、制御部は、デジタルマルチメディア信号の受信中に音声通話要求が発生すれば、復号部でオーディオ信号の復号を中止し、音声処理部から音声信号をスピーカーを経て出力するように制御する。【選択図】  図２
2005045753.tif 000002
【特許請求の範囲】
【請求項１】
圧縮符号化されたオーディオ信号と映像信号が多重化され伝送されるデジタルマルチメディア信号を受信することができる移動端末において、
音声通話のための無線信号を受信し、前記無線信号を符号化された信号に変換する無線受信部と、
前記符号化された信号を電気的な音声信号に変換してスピーカーを通じて出力する音声処理部と、
デジタルマルチメディア信号を受信し、前記デジタルマルチメディア信号から多重化されたオーディオ信号と映像信号を分離する逆多重化器と、
前記分離されたオーディオ信号と映像信号を復号し、前記復号されたオーディオ信号と映像信号をそれぞれ前記スピーカーと表示部に提供する復号部と、
前記デジタルマルチメディア信号の受信中に音声通話要求が発生する場合、前記復号部で前記オーディオ信号の復号が中止され、前記音声処理部から前記音声信号が前記スピーカーを通じて出力されるように制御する制御部と
からなることを特徴とする移動端末。
【請求項２】
前記制御部は前記デジタルマルチメディア信号の受信中に音声通話要求が発生する場合、前記逆多重化器から出力される前記オーディオ信号の復号を中止するように前記復号部を制御する請求項１記載の移動端末。
【請求項３】
前記制御部は前記デジタルマルチメディア信号の受信中に音声通話要求が発生する場合、前記オーディオ信号が前記復号部に提供されないように前記逆多重化器を制御する請求項１記載の移動端末。
【請求項４】
前記制御部は音声通話のための着信号時、所定の通話キー入力があると、前記音声通話要求が発生すると判断する請求項１記載の移動端末。
【請求項５】
前記制御部は音声通話のための発信号要求があると、前記音声通話要求が発生すると判断する請求項１記載の移動端末。
【請求項６】
前記制御部は音声通話のために指定された被呼者に呼を発信し、前記被呼者から応答信号を受信する場合、前記音声通話要求が発生すると判断する請求項１記載の移動端末。
【請求項７】
前記デジタルマルチメディア信号は圧縮符号化された文字信号をさらに含み、前記逆多重化器は前記デジタルマルチメディア信号から前記文字信号を分離する請求項１記載の移動端末。
【請求項８】
前記制御部は前記音声通話要求が発生され、前記文字信号が前記表示部に表示されていない場合、前記文字信号が復号され前記表示部を通じて出力されるように前記復号部を制御する請求項７記載の移動端末。
【請求項９】
前記制御部は前記デジタルマルチメディア信号の受信中に、前記音声通話要求が発生する場合、使用者の選択により前記オーディオ信号の復号を中止するか否かを決定する請求項１記載の移動端末。
【請求項１０】
前記使用者の選択は前記デジタルマルチメディア信号の受信を遮断する場合をさらに含む請求項９記載の移動端末。
【請求項１１】
前記使用者の選択は所定のキー入力を通じて遂行される請求項９または請求項１０記載の移動端末。
【請求項１２】
前記使用者の選択は使用者により予め設定された優先順位に応じて決定される請求項９または請求項１０記載の移動端末。
【請求項１３】
前記制御部は前記音声通話が終了されたか否かを検査し、前記音声通話が終了された場合、前記オーディオ信号の復号が再開されるように前記復号部を制御する請求項１記載の移動端末。
【請求項１４】
圧縮符号化されたオーディオ信号と映像信号が多重化され伝送されるデジタルマルチメディア信号を受信することができる移動端末において、
音声通話のための無線信号を受信し、前記無線信号を符号化された信号に変換する無線受信部と、
前記符号化された信号を電気的な音声信号に変換してスピーカーを通じて出力する音声処理部と、
デジタルマルチメディア信号を受信し、前記デジタルマルチメディア信号から多重化されたオーディオ信号と映像信号を分離する逆多重化器と、
前記分離されたオーディオ信号と映像信号を復号し、前記復号されたオーディオ信号と映像信号をそれぞれ前記スピーカーと表示部を通じて出力する復号部と、
前記音声通話中に前記デジタルマルチメディア信号の受信要求が発生する場合、前記復号部で前記オーディオ信号の復号が遮断され、前記音声信号が前記スピーカーを通じて出力されるように制御する制御部と
からなることを特徴とする移動端末。
【請求項１５】
前記制御部は前記音声通話中に前記デジタルマルチメディア信号の受信要求が発生する場合、前記逆多重化器から出力される前記オーディオ信号の復号を中止するように前記復号部を制御する請求項１４記載の移動端末。
【請求項１６】
前記制御部は前記音声通話中に前記デジタルマルチメディア信号の受信要求が発生する場合、前記オーディオ信号が前記復号部に提供されないように前記逆多重化器を制御する請求項１４記載の移動端末。
【請求項１７】
前記デジタルマルチメディア信号は圧縮符号化された文字信号をさらに含み、前記逆多重化器は前記デジタルマルチメディア信号から前記文字信号を分離する請求項１４記載の移動端末。
【請求項１８】
前記制御部は前記音声通話中に前記デジタルマルチメディア信号の受信要求が発生し、前記文字信号が前記表示部に表示されていない場合、前記文字信号が復号され前記表示部を通じて出力されるように前記復号部を制御する請求項１７記載の移動端末。
【請求項１９】
前記制御部は前記音声通話中に前記デジタルマルチメディア信号の受信要求が発生する場合、使用者の選択によって前記オーディオ信号の復号を中止するか否かを決定するように制御する請求項１４記載の移動端末。
【請求項２０】
前記使用者の選択は前記デジタルマルチメディア信号の受信を遮断する場合をさらに含む請求項１９記載の移動端末。
【請求項２１】
前記使用者の選択は所定のキー入力により遂行される請求項１９または請求項２０記載の移動端末。
【請求項２２】
前記使用者の選択は使用者により予め設定された優先順位に応じて決定される請求項１９または請求項２０記載の移動端末。
【請求項２３】
前記制御部は前記音声通話が終了されたか否かを検査し、前記音声通話が終了された場合、前記オーディオ信号を復号するように前記復号部を制御する請求項１４記載の移動端末。
【請求項２４】
圧縮符号化されたオーディオ信号と映像信号が多重化され伝送されるデジタルマルチメディア信号を受信することができる移動端末において、
音声通話のための無線信号を受信し、前記無線信号を符号化された信号に変換する無線受信部と、
前記符号化された信号を電気的な音声信号に変換してスピーカーを通じて出力する音声処理部と、
デジタルマルチメディア信号を受信し、前記デジタルマルチメディア信号から多重化されたオーディオ信号と映像信号を分離する逆多重化器と、
前記分離されたオーディオ信号と映像信号を復号し、前記復号された映像信号と前記オーディオ信号をそれぞれ表示部と前記スピーカーを通じて出力する復号部と、
前記デジタルマルチメディア信号の受信と音声通話要求が同時に発生する場合、前記復号部でオーディオ信号の復号が中止され、前記音声信号が前記スピーカーを通じて出力されるように制御する制御部と
からなることを特徴とする移動端末。
【請求項２５】
前記制御部は前記デジタルマルチメディア信号の受信と音声通話要求が同時に発生する場合、前記逆多重化器から出力される前記オーディオ信号の復号を中止するように前記復号部を制御する請求項２４記載の移動端末。
【請求項２６】
前記制御部は前記デジタルマルチメディア信号の受信と音声通話要求が同時に発生する場合、前記オーディオ信号が前記復号部に提供されないように前記逆多重化器を制御する請求項２４記載の移動端末。
【請求項２７】
前記制御部は音声通話のための着信号時、所定の通話キー入力があると、前記音声通話要求が発生すると判断する請求項２４記載の移動端末。
【請求項２８】
前記制御部は音声通話のための発信号要求があると、前記音声通話要求が発生すると判断する請求項２４記載の移動端末。
【請求項２９】
前記制御部は音声通話のために指定された被呼者に呼を発信し、前記被呼者から応答信号を受信する場合、前記音声通話要求が発生すると判断する請求項２４記載の移動端末。
【請求項３０】
前記制御部は前記デジタルマルチメディア信号の受信と前記音声通話要求が同時に発生する場合、使用者の選択によって前記オーディオ信号の復号を中止するか否かを決定するように制御する請求項２４記載の移動端末。
【請求項３１】
前記使用者の選択は前記デジタルマルチメディア信号の受信を遮断する場合をさらに含む請求項３０記載の移動端末。
【請求項３２】
前記使用者の選択は所定のキー入力を通じて遂行される請求項３０または請求項３１記載の移動端末。
【請求項３３】
前記使用者の選択は使用者により予め設定された優先順位に応じて決定される請求項３０または請求項３１記載の移動端末。
【請求項３４】
圧縮符号化されたオーディオ信号と映像信号が多重化され伝送されるデジタルマルチメディア信号を受信することができる移動端末で前記オーディオ信号を処理する方法において、
デジタルマルチメディア信号を受信し、前記デジタルマルチメディア信号から多重化されたオーディオ信号と映像信号を分離する過程と、
前記分離されたオーディオ信号と映像信号を復号し、前記復号されたオーディオ信号と映像信号をそれぞれスピーカーと表示部を通じて出力する過程と、
前記デジタルマルチメディア信号の受信中に音声通話要求が発生する場合、前記オーディオ信号の復号を中止する過程と、
前記音声通話のための無線信号を受信し、前記無線信号を電気的な音声信号に変換して前記スピーカーを通じて出力する過程と
からなることを特徴とする方法。
【請求項３５】
前記移動端末は前記音声通話のための着信号時、所定の通話キー入力があると、前記音声通話要求が発生すると判断する過程をさらに含む請求項３４記載の方法。
【請求項３６】
前記移動端末は前記音声通話のための発信号要求があると、前記音声通話要求が発生すると判断する過程をさらに含む請求項３４記載の方法。
【請求項３７】
前記移動端末は前記音声通話のために指定された被呼者に呼を発信し、前記被呼者から応答信号の受信時、前記音声通話要求が発生すると判断する過程をさらに含む請求項３４記載の方法。
【請求項３８】
前記移動端末は前記音声通話要求が発生する場合、前記デジタルマルチメディア信号が圧縮符号化された文字信号を含むか否かを検査する過程と、
前記文字信号が前記表示部を通じて出力されているか否かを検査する過程と、
前記文字信号が前記表示部を通じて出力されていない場合、前記文字信号を前記デジタルマルチメディア信号から分離し復号して前記表示部を通じて出力する過程と
をさらに含む請求項３４記載の方法。
【請求項３９】
前記移動端末は前記デジタルマルチメディア信号の受信中に音声通話要求が発生する場合、使用者の選択によって前記オーディオ信号の復号を中止するか否かを決定する過程をさらに含む請求項３４記載の方法。
【請求項４０】
前記使用者の選択は前記デジタルマルチメディア信号の受信を遮断する場合をさらに含む請求項３９記載の方法。
【請求項４１】
前記使用者の選択は所定のキー入力を通じて遂行される請求項４０記載の方法。
【請求項４２】
前記使用者の選択は使用者により予め設定された優先順位に応じて決定される請求項４０記載の方法。
【請求項４３】
前記移動端末は、前記音声通話が終了されたか否かを検査する過程と、
前記音声通話が終了された後、前記オーディオ信号の復号が再開されるように制御する過程と
をさらに含む請求項３４記載の方法。
【請求項４４】
圧縮符号化されたオーディオ信号と映像信号が多重化され伝送されるデジタルマルチメディア信号を受信することができる移動端末で前記オーディオ信号を処理する方法において、
音声通話のための無線信号を受信し、前記無線信号を電気的な音声信号に変換してスピーカーを通じて出力する過程と、
前記音声通話中にデジタルマルチメディア信号の受信要求が発生する場合、前記デジタルマルチメディア信号を受信し、前記デジタルマルチメディア信号から多重化されたオーディオ信号と映像信号を分離する過程と、
前記分離されたオーディオ信号と映像信号を復号し、前記復号されたオーディオ信号と映像信号をそれぞれ前記スピーカーと表示部を通じて出力する過程と、
前記映像信号を復号し、前記復号された映像信号を表示部を通じて出力し、前記オーディオ信号は復号しない過程と
からなることを特徴とする方法。
【請求項４５】
前記移動端末は、前記音声通話要求が発生する場合、前記デジタルマルチメディア信号が圧縮符号化された文字信号を含むか否かを検査する過程と、
前記文字信号が前記表示部を通じて出力されているか否かを検査する過程と、
前記文字信号が前記表示部を通じて出力されていない場合、前記文字信号を前記デジタルマルチメディア信号から分離し復号して前記表示部を通じて出力する過程と
をさらに含む請求項４４記載の方法。
【請求項４６】
前記移動端末は前記音声通話中に前記デジタルマルチメディア信号の受信要求が発生される場合、前記オーディオ信号の復号を中止するか否かを使用者の選択によって決定する過程をさらに含む請求項４４または請求項４５記載の方法。
【請求項４７】
前記使用者の選択は前記デジタルマルチメディア信号の受信を遮断する場合をさらに含む請求項４６記載の方法。
【請求項４８】
前記使用者の選択は所定のキー入力を通じて遂行される請求項４６記載の方法。
【請求項４９】
前記使用者の選択は使用者により予め設定された優先順位に応じて決定される請求項４６記載の方法。
【請求項５０】
前記移動端末は、前記音声通話が終了されたか否かを検査する過程と、
前記音声通話が終了された後、前記オーディオ信号を復号して前記スピーカーを通じて出力する過程と
をさらに含む請求項４４記載の方法。
【発明の詳細な説明】
【技術分野】
【０００１】
本発明はマルチメディア放送を視聴することができる移動端末に関し、特にマルチメディア放送の視聴中、音声呼接続が要求される場合、マルチメディア放送のオーディオ信号を処理するための装置及び方法に関する。
【背景技術】
【０００２】
最近、移動端末のマルチメディア化が加速化されながらデジタルマルチメディア放送(Digital Multimedia Broadcasting)を受信することができる機能が搭載された移動端末が開発されている。デジタルマルチメディア放送視聴が可能な移動端末は、通常の呼処理のための受信部とデジタルマルチメディア放送を受信するための受信部を別に構成する。従って、使用者はこのような移動端末を通じてデジタルテレビ放送を実時間に視聴することと同時に、音声通話のような通常の携帯電話サービスを利用することができる。
【０００３】
一方、デジタルマルチメディアデータストリーミング放送受信が可能な従来の移動端末は、放送受信中には通常の移動電話サービスを利用することができない。現在の２世代移動通信に該当する移動通信ネットワークでは一つの移動局に単一サービスのみを提供することができ、一つの移動局に対して同時に複数のサービスを提供することができない。従って、デジタルマルチメディアデータストリーミング放送受信中に通常の移動電話サービスを利用するためには放送受信を中断すべきである。しかし、マルチメディア環境下の３世代移動通信ネットワークでは加入者が使用中であるサービスの中断なしに新たなサービスを追加に提供する同時サービスが可能になり、使用者はデジタルマルチメディアデータストリーミング放送を視聴しながら音声通話をすることができるようになる。
【０００４】
デジタルマルチメディア放送やデジタルマルチメディアデータストリーミング放送サービスは映像信号だけではなくオーディオ信号も含む。従って、前記放送視聴中に音声通話をする場合、放送サービスのオーディオ信号と通話音声が重なって出力される問題点がある。
【０００５】
このような問題点を解決するために従来技術は放送視聴中に音声通話をしようとする場合、放送視聴を完全に中断するようにしている。しかし、前記従来技術は放送視聴中に呼が着信される場合、使用者が放送を視聴し続けたい場合にも音声通話をするためには放送視聴を中断するか、音声通話を中断しなければならないという問題点がある。従って、放送視聴を中断せずに音声通話をしようとする使用者の欲求を充足させ得る方法が要求される。
【発明の開示】
【発明が解決しようとする課題】
【０００６】
従って、本発明の目的はデジタルマルチメディア放送視聴中に音声通話が要求される場合、デジタルマルチメディア放送のオーディオ信号のみをミュート(mute)化する装置及び方法を提供することにある。
【０００７】
本発明の他の目的は、デジタルマルチメディア放送視聴中に音声通話が要求される場合、デジタルマルチメディア放送のオーディオ信号は処理を中止し、映像信号は続けて処理することができる装置及び方法を提供することにある。
【０００８】
本発明のさらに他の目的は、デジタルマルチメディア放送視聴中に音声通話が要求される場合、使用者の選択によって放送視聴を中断するか、オーディオ信号の処理のみを中止することができる装置及び方法を提供することにある。
【０００９】
本発明のさらに他の目的は、音声通話中にデジタルマルチメディア放送を視聴しようとする場合、デジタルマルチメディア放送のオーディオ信号処理を中止することができる装置及び方法を提供することにある。
【００１０】
本発明のさらに他の目的は、デジタルマルチメディア放送視聴中に音声通話が要求される場合、デジタルマルチメディア放送のオーディオ信号処理を中止し、文字データに表示することができる装置及び方法を提供することにある。
【課題を解決するための手段】
【００１１】
前記目的を達成するために本発明は、圧縮符号化されたオーディオ信号と映像信号が多重化され伝送されるデジタルマルチメディア信号を受信することができる移動端末において、音声通話のための無線信号を受信し、前記無線信号を符号化された信号に変換する無線受信部と、前記符号化された信号を電気的な音声信号に変換してスピーカーを通じて出力する音声処理部と、デジタルマルチメディア信号を受信し、前記デジタルマルチメディア信号から多重化されたオーディオ信号と映像信号を分離する逆多重化器と、前記分離されたオーディオ信号と映像信号を復号し、前記復号されたオーディオ信号と映像信号をそれぞれ前記スピーカーと表示部に提供する復号部と、前記デジタルマルチメディア信号の受信中に音声通話要求が発生する場合、前記復号部で前記オーディオ信号の復号が中止され、前記音声処理部から前記音声信号が前記スピーカーを通じて出力されるように制御する制御部とからなる装置を提供する。
【００１２】
前記目的を達成するために本発明は、圧縮符号化されたオーディオ信号と映像信号が多重化され伝送されるデジタルマルチメディア信号を受信することができる移動端末において、音声通話のための無線信号を受信し、前記無線信号を符号化された信号に変換する無線受信部と、前記符号化された信号を電気的な音声信号に変換してスピーカーを通じて出力する音声処理部と、デジタルマルチメディア信号を受信し、前記デジタルマルチメディア信号から多重化されたオーディオ信号と映像信号を分離する逆多重化器と、前記分離されたオーディオ信号と映像信号を復号し、前記復号されたオーディオ信号と映像信号をそれぞれ前記スピーカーと表示部を通じて出力する復号部と、前記音声通話中に前記デジタルマルチメディア信号の受信要求が発生する場合、前記復号部で前記オーディオ信号の復号が遮断され、前記音声信号が前記スピーカーを通じて出力されるように制御する制御部とからなる装置を提供する。
【００１３】
前記目的を達成するために本発明は、圧縮符号化されたオーディオ信号と映像信号が多重化され伝送されるデジタルマルチメディア信号を受信することができる移動端末において、音声通話のための無線信号を受信し、前記無線信号を符号化された信号に変換する無線受信部と、前記符号化された信号を電気的な音声信号に変換してスピーカーを通じて出力する音声処理部と、デジタルマルチメディア信号を受信し、前記デジタルマルチメディア信号から多重化されたオーディオ信号と映像信号を分離する逆多重化器と、前記分離されたオーディオ信号と映像信号を復号し、前記復号された映像信号と前記オーディオ信号をそれぞれ表示部と前記スピーカーを通じて出力する復号部と、前記デジタルマルチメディア信号の受信と音声通話要求が同時に発生する場合、前記復号部でオーディオ信号の復号が中止され、前記音声信号が前記スピーカーを通じて出力されるように制御する制御部とからなる装置を提供する。
【００１４】
前記目的を達成するために本発明は、圧縮符号化されたオーディオ信号と映像信号が多重化され伝送されるデジタルマルチメディア信号を受信することができる移動端末で前記オーディオ信号を処理する方法において、デジタルマルチメディア信号を受信し、前記デジタルマルチメディア信号から多重化されたオーディオ信号と映像信号を分離する過程と、前記分離されたオーディオ信号と映像信号を復号し、前記復号されたオーディオ信号と映像信号をそれぞれスピーカーと表示部を通じて出力する過程と、前記デジタルマルチメディア信号の受信中に音声通話要求が発生する場合、前記オーディオ信号の復号を中止する過程と、前記音声通話のための無線信号を受信し、前記無線信号を電気的な音声信号に変換して前記スピーカーを通じて出力する過程とからなる方法を提供する。
【００１５】
前記目的を達成するために本発明は、圧縮符号化されたオーディオ信号と映像信号が多重化され伝送されるデジタルマルチメディア信号を受信することができる移動端末で前記オーディオ信号を処理する方法において、音声通話のための無線信号を受信し、前記無線信号を電気的な音声信号に変換してスピーカーを通じて出力する過程と、前記音声通話中にデジタルマルチメディア信号の受信要求が発生する場合、前記デジタルマルチメディア信号を受信し、前記デジタルマルチメディア信号から多重化されたオーディオ信号と映像信号を分離する過程と、前記分離されたオーディオ信号と映像信号を復号し、前記復号されたオーディオ信号と映像信号をそれぞれ前記スピーカーと表示部を通じて出力する過程と、前記映像信号を復号し、前記復号された映像信号を表示部を通じて出力し、前記オーディオ信号は復号しない過程とからなる方法を提供する。
【発明の効果】
【００１６】
本発明は使用者がデジタルマルチメディア放送視聴と同時に音声通話をしようとする場合、放送信号に妨害されずに音声通話を遂行することができる利点がある。また本発明は使用者がデジタルマルチメディア放送の視聴中に必ず音声通話をすべきである場合、放送を視聴し続けながら音声通話を遂行することができる利点がある。また本発明は使用者が音声通話をしながらもデジタルマルチメディア放送の映像と字幕を同時に視聴することができる利点がある。
【発明を実施するための最良の形態】
【００１７】
以下、本発明に従う好適な一実施例について添付図を参照しつつ詳細に説明する。下記の説明において、本発明の要旨のみを明瞭にする目的で、関連した公知機能又は構成に関する具体的な説明は省略する。
【００１８】
図１は本発明の望ましい実施例に従う移動端末の構成を示すブロック図である。以下、図１を参照して本発明と関連された移動端末の構成及び動作を詳細に説明する。
【００１９】
無線部１１１は制御部１１３の制御下でアンテナ(ＡＮＴ)から受信される無線信号を所定信号に変換して制御部１１３に伝達するか、または音声処理部１２５に伝達する。また無線部１１１は音声処理部１２５から受信される符号化された信号を無線信号に送信するための帯域の信号に変換してアンテナ(ＡＮＴ)に出力する。前記無線部１１１から制御部１１３に出力される信号は、基地局のパイロット信号及びページング信号、またはデータ通信時に受信されるデータ、または電力制御のために基地局から移動端末に受信されるメッセージである。また制御部１１３は呼の設定、または電力制御及びデータ送信時の送信データを無線部１１１に伝達して基地局に送出する。そのために無線部１１１から音声処理部１２５に出力される信号は呼が設定された以後に受信された符号化された音声信号になる。
【００２０】
制御部１１３は移動端末の全般的な動作を制御する。特に、本発明と関連して前記制御部１１３はデジタルマルチメディア信号の受信中に音声通話要求が発生するか否かを検査し、検査結果に応じて復号部１１９または逆多重化器１１７を制御してデジタルマルチメディア信号に多重化されたオーディオ信号を処理するか否かを決定する。
【００２１】
受信部１１５は映像信号、オーディオ信号及び付加信号などが多重化されたデジタルマルチメディア放送信号を受信する。前記映像信号、オーディオ信号及び付加信号はそれぞれ独立されたパケットに圧縮符号化された後、多重化され伝送される。映像信号とオーディオ信号はＨ.２６４(ＭＰＥＧ４ p.１０)やＭＰＥＧ４ ＡＡＣのような通常の圧縮方式を用いて圧縮符号化されることができる。一方、前記付加信号は映像信号、オーディオ信号などと関連された字幕データなどの文字信号などを含んで構成される。本発明の明細書では説明の便宜上、前記付加信号は文字信号に表示するようにする。
【００２２】
ここで、前記デジタルマルチメディア信号は衛星及びギャップ充電装置(Gap Filler)から送信されたデジタルマルチメディア放送信号(Digital Multimedia Broadcasting:ＤＭＢ)になることができる。または前記デジタルマルチメディア信号はデジタルマルチメディアデータストリーム放送信号や注文型ビデオ(Video On Demand:ＶＯＤ)、または注文型オーディオ(Music On Demand:ＭＯＤまたはAudio On Demand:ＡＯＤ)であることもできる。説明の便宜上、本発明の明細書では前記デジタルマルチメディア信号はデジタルマルチメディア放送信号である場合を仮定して説明するが、それに限定されるものではないことに注意すべきである。
【００２３】
前記受信部１１５は前記デジタルマルチメディア信号を低雑音増幅した後、中間周波信号に周波数変換する。前記中間周波信号は使用者がキー入力部１２７を通じて指定した受信チャネルに対応する拡散符号により逆拡散され、逆拡散されたチャネル信号は復調部で復調される。前記復調されたチャネル信号は逆多重化器に入力される。受信部１１５はアンテナを通じてデジタルマルチメディア信号を受信する。
【００２４】
前記逆多重化器１１７は前記受信部１１５から出力される前記復調されたチャネル信号をオーディオ信号、映像信号、文字信号に分離する。分離されたオーディオ信号、映像信号及び文字信号は復号部１１９に入力される。
【００２５】
前記復号部１１９はオーディオ復号部(図示せず)、映像復号部(図示せず)、付加信号復号部(図示せず)で構成される。オーディオ復号部は符号化された前記オーディオ信号を復号し、復号されたオーディオ信号を音声処理部１２５に出力する。映像復号部は符号化された前記映像信号を復号し映像処理部１２１を通じて表示部１２３に出力する。付加信号復号部は文字信号などを含む付加信号を復号し、復号された付加信号中、文字信号を映像信号と共に映像処理部１２１を通じて表示部１２３に出力する。この時、前記制御部１１３は前記文字信号が使用者の選択によって前記表示部１２３に表示されないように制御することもできる。一方、前記復号部１１９はメモリ部(図示せず)に予め貯蔵されている動映像、音楽などマルチメディア信号を復号する機能も遂行する。
【００２６】
音声処理部１２５は無線部１１１から出力される符号化された音声信号を電気的な音声信号に変換してスピーカー（ＳＰＫ）を通じて出力するか、マイク(ＭＩＣ)から受信される電気的な音声信号をコーディングして無線部１１１に伝達する音声コーデックを含む。また前記音声処理部１２５は前記復号部１１９のオーディオ復号部から出力される復号されたオーディオ信号をステレオオーディオ信号に変換するステレオコーデックを含むこともできる。本発明の明細書では前記音声処理部１２５は前記音声コーデックとステレオコーデックをすべて含む場合を仮定して説明するが、前記音声コーデックとステレオコーデックを別の独立的な装置に構成するか、前記音声コーデックを前記制御部に含んで構成するように変形することも可能であることに注意すべきである。また移動端末がステレオ信号を提供しない場合には前記ステレオコーデックが移動端末に含まれないこともできる。
【００２７】
映像処理部１２１は前記復号部１１９の映像復号部から出力される復号された映像信号を表示部１２３に表示するための画面データに変換し、前記表示部１２３に提供する。前記表示部１２３は前記映像処理部１２１から出力される映像信号を画面に表示し、前記制御部１１３から出力される使用者データを表示する。キー入力部１２７はキーマトリクス構造を有し、ダイアリングのための数字キーと、各種機能を遂行するための機能キーとから構成される。前記キー入力部１２７は使用者が入力するキーに対応するキー信号を発生して制御部１１３に提供する。またキー入力部１２７は本発明に応じてデジタルマルチメディアデータ受信及び音声通話要求のための別の機能キー、または多機能キーを設ける。一方、前記キー入力部１２７はタッチパッドや仮想キーボード方式に具現することもできることに注意すべきである。
【００２８】
図２は本発明の望ましい一実施例に従って音声通話のための着信号発生時、デジタルマルチメディア放送を受信中であるか否かに応じたオーディオ信号の処理方法を示す順序図である。
【００２９】
図１及び図２を参照してデジタルマルチメディア放送受信中に音声通話要求がある場合、デジタルマルチメディア放送のオーディオ信号処理を中止する方法を詳細に説明する。
【００３０】
２１１段階で制御部１１３は音声通話のための着信号が発生されるか否かを検査する。着信号が発生された場合は２１３段階に進行し、着信号が発生されない場合は前記２１１段階を繰り返す。前記２１３段階で制御部１１３は使用者が設定したモードに応じて、ベルの音、振動またはランプなどを用いて着信号が発生したことを使用者に知らせ、２１５段階に進行する。
【００３１】
前記２１５段階で制御部１１３は使用者から通話キーが入力されたか否かを検査する。通話キーが入力された場合は使用者から音声通話が要求されると判断し、２１９段階に進行し、通話キー以外のキーが入力された場合には２１７段階に進行し、入力されたキーに該当する機能を遂行する。ここで、通話キーは呼接続を指示するキーであり、前記キー入力部１２７上の特定キーまたは全てのキーになるのが通常的である。しかし、折り畳み型携帯電話でフォルダを開放する動作により呼接続が遂行される場合はフォルダ開放動作を通話キーが入力されたことと均等なものと見なすことができることに注意すべきである。また通話キーの入力代わりに着信号受信を音声通話要求と判断するように変形することも該技術分野で通常の知識を持つ者に自明であるだろう。
【００３２】
前記２１９段階で前記制御部１１３は現在デジタルマルチメディア放送を受信中であるか否かを検査する。デジタルマルチメディア放送を受信中であるか否かは所定のフラグを使用して判断することができるが、それ以外の多様な方法に変形可能なことは該技術分野で通常の知識を持つ者に自明であるだろう。前記２１９段階でデジタルマルチメディア放送中であると判断される場合、２２１段階に進行し、放送受信中でない場合、２２９段階に進行する。
【００３３】
前記２２１段階で前記制御部１１３は逆多重化器１１７から出力されるオーディオ信号を復号しないように復号部１１９を制御する。しかし、映像信号と文字信号は前記復号部１１９で続けて復号され、映像処理部１２１を通じて表示部１２３に出力される。
【００３４】
一方、本発明の明細書では前記２１９段階でデジタルマルチメディア放送を受信中であると判断される場合、制御部１１３が自動に前記デジタルマルチメディア放送のオーディオ信号の処理を中止する場合を仮定して説明したが、使用者がオーディオ信号の処理を中止するか否かを選択できるように変更することは、該技術分野での通常の知識を持つ者に自明であるだろう。即ち、制御部１１３は表示部１２３を通じて使用者にオーディオ信号の処理を中止するか否かを質疑し、使用者はキー入力部１２７の特定キーを用いて応答するように構成するか、所定の特定キーを予め割り当て、使用者がオーディオ信号の処理を中止するか否かを選択するように構成することができるだろう。または使用者がデジタルマルチメディア放送のオーディオ信号と音声信号に対して予め優先順位を設定できるようにし、設定された優先順位に応じて前記オーディオ信号の処理を中止するか否かを決定する方法も可能であるだろう。
【００３５】
また本発明の明細書では制御部１１３が復号部１１９を制御してオーディオ信号の処理を中止する場合に対して説明するが、逆多重化器１１７で分離されたオーディオ信号が復号部１１９に出力されないように前記逆多重化器１１７を制御するように変形することも可能である。
【００３６】
オーディオ信号の復号を中止するように復号部１１９を制御した前記制御部１１３は２２３段階で音声通話を接続する。即ち、制御部１１３は音声処理部１２５を制御して無線部１１１から出力される符号化された音声信号を電気的な音声信号に変換し、スピーカーを通じて前記音声信号を出力するようにする。音声通話が接続された後、制御部１１３は２２５段階で音声通話が終了されたか否かを検査し、音声通話が終了された場合は２２７段階に進行し、音声通話が終了されない場合は、前記２２５段階を繰り返す。音声通話が終了された場合、制御部１１３は前記２２７段階でオーディオ信号の復号を再開するように前記復号部１１９を制御した後、前記手続きを完了する。
【００３７】
一方、前記２１９段階でデジタルマルチメディア放送の受信中でない場合には、前記制御部１１３は２２９段階で音声通話を接続する。制御部１１３は音声処理部１２５を制御して無線部１１１から出力される符号化された音声信号を電気的な音声信号に変換し、スピーカーを通じて前記音声信号を出力するようにする。音声通話が接続された後、制御部１１３は２３１段階で音声通話が終了されたか否かを検査し、音声通話が終了されない場合は、前記２３１段階を繰り返し、音声通話が終了された場合は前記手続きを完了する。
【００３８】
図３は本発明の望ましいさらに他の実施例に従って音声通話のための発信号要求が発生する場合、デジタルマルチメディア放送を受信中であるか否かに応じたオーディオ信号の処理方法を示す順序図である。
【００３９】
３１１段階で制御部１１３は音声通話のための発信号要求が発生されるか否かを検査する。前記発信号要求は使用者がキー入力部１２７を通じて音声通話しようとする被呼者を指定し、通話キーを入力する動作により遂行される。発信号要求が発生される場合、制御部１１３は指定された被呼者に呼を発信し、３１２段階で前記被呼者からの応答を検出する。制御部１１３は被呼者から応答がない場合は前記３１２段階を繰り返し、被呼者からの応答が検出される場合は音声通話要求が発生したと判断し、３１３段階に進行する。しかし、前記３１１段階で発信号要求が発生する時を音声通話要求が発生したと判断することもできることに注意すべきである。
【００４０】
前記３１３段階で前記制御部１１３はデジタルマルチメディア放送が受信されたか否かを検査し、デジタルマルチメディア放送の受信中であると判断される場合、３１５段階に進行し、放送受信中でない場合、３２３段階に進行する。
【００４１】
前記３１５段階で前記制御部１１３は逆多重化器１１７から出力されるオーディオ信号を復号しないように復号部１１９を制御する。しかし、映像信号と文字信号は前記復号部１１９で続けて復号され、映像処理部１２１を通じて表示部１２３に出力される。
【００４２】
オーディオ信号の復号を中止するように復号部１１９を制御した前記制御部１１３は３１７段階で音声通話を接続する。即ち、制御部１１３は音声処理部１２５を制御して無線部１１１から出力される符号化された音声信号を電気的な音声信号に変換し、スピーカーを通じて前記音声信号を出力する。音声通話が接続された後、制御部１１３は３１９段階で音声通話が終了されたか否かを検査し、音声通話が終了された場合は３２１段階に進行し、音声通話が終了されない場合は前記３１９段階を繰り返す。音声通話が終了された場合、制御部１１３は前記３２１段階でオーディオ信号の復号を再開するように前記復号部１１９を制御した後、前記手続きを完了する。
【００４３】
一方、前記３１３段階でデジタルマルチメディア放送受信中でない場合には前記制御部１１３は３２３段階で音声通話を接続する。制御部１１３は音声処理部１２５を制御して無線部１１１から出力される符号化された音声信号を電気的な音声信号に変換し、スピーカーを通じて前記音声信号を出力する。音声通話が接続された後、制御部１１３は３２５段階で音声通話が終了されたか否かを検査し、音声通話が終了されない場合は前記３２５段階を繰り返し、音声通話が終了された場合は前記手続きを完了する。
【００４４】
図４は本発明の望ましいさらに他の実施例に従うデジタルマルチメディア放送の受信中に音声通話が要求される場合、使用者設定によって放送信号を処理する方法を示す順序図である。一方、本実施例では音声通話のための着信号が発生する場合を仮定し説明するが、音声通話のための発信号が発生する場合にも適用されるように本実施例を変形することは該技術分野の通常の知識を持つ者に自明であるだろう。
【００４５】
４１１段階で制御部１１３は音声通話のための着信号が発生されるか否かを検査する。着信号が発生された場合は４１３段階に進行し、着信号が発生されない場合は前記４１１段階を繰り返す。前記４１３段階で制御部１１３は使用者が設定したモードに応じてベルの音、振動またはランプなどを用いて着信号が発生されたことを使用者に知らせ、４１５段階に進行する。
【００４６】
前記４１５段階で制御部１１３は使用者から通話キーが入力されたか否かを検査する。通話キーが入力された場合は使用者から音声通話が要求されると判断し、４１９段階に進行し、通話キー以外のキーが入力された場合には４１７段階に進行し、入力されたキーに該当する機能を遂行する。ここで、前記通話キーは呼接続を指示するどのようなキーの入力やどのような動作にも変形できることは上述したようである。
【００４７】
前記４１９段階で前記制御部１１３は現在デジタルマルチメディア放送を受信中であるか否かを検査する。前記４１９段階でデジタルマルチメディア放送を受信中であると判断される場合、４２５段階に進行し、放送受信中でない場合、４２１段階に進行する。前記４２１段階で前記制御部１１３は音声通話を接続し、４２３段階で音声通話が終了されたか否かを検査する。前記４２３段階で音声通話が終了されない場合には前記４２３段階を繰り返し、音声通話が終了された場合は前記手続きを完了する。
【００４８】
一方、前記４１９段階でデジタルマルチメディア放送を受信中であると判断される場合、前記制御部１１３は４２５段階で使用者により設定された音声通話時の放送信号処理モードを検査する。本発明の望ましい実施例で前記音声通話時の放送信号処理モードは放送受信中に音声通話が要求される場合、放送信号を処理する方法に応じて“ＴＶオフ”モードと“オーディオオフ”モードに分類されると仮定する。“ＴＶオフ”モードは放送信号の受信を中止し、音声通話のみを遂行するモードであり、“オーディオオフ”モードは放送信号中のオーディオ信号の出力は中止し、映像信号と文字信号は続けて表示部１２３に表示するモードである。前記音声通話時、放送信号処理モードは使用者により予め設定されるか、または放送受信中音声通話が要求される時、使用者の直接入力により設定されることができる。
【００４９】
前記４２５段階で“ＴＶオフ”モードに設定されたと判断される場合には４２７段階に進行する。制御部１１３は前記４２７段階で放送信号の受信を中止し４２１段階に進行する。ここで、本発明の明細書では前記４２７段階で放送信号の受信を中止する場合を仮定したが、放送信号の受信は続き、逆多重化器１１７または復号部１１９を制御して受信された放送信号の処理を中止するように変形することも可能であることに注意すべきである。
【００５０】
一方、前記４２５段階で“ＴＶオフ”モードに設定されないと判断される場合には４２９段階に進行する。前記制御部１１３は前記４２９段階で“オーディオオフ”モードに設定されたか否かを判断する。“オーディオオフ”モードに設定された場合には４３１段階に進行し、“オーディオオフ”モードに設定されない場合には４２１段階に進行する。オーディオオフモードに設定されない場合にはデジタルマルチメディア放送のオーディオ信号と音声通話の音声信号がすべてスピーカーを通じて出力される。この時、前記オーディオ信号はスピーカーを通じて出力され、前記音声信号はイアホーンを通じて出力されるように構成するか、その反対の場合に構成することもできるだろう。
【００５１】
前記４３１段階で前記制御部１１３は逆多重化器１１７から出力されるオーディオ信号を復号しないように復号部１１９を制御する。しかし、映像信号と文字信号は前記復号部１１９で続けて復号され、映像処理部１２１を通じて表示部１２３に出力される。
【００５２】
前記制御部１１３はオーディオ信号の復号を中止するように復号部１１９を制御した後、４３３段階で音声通話を接続する。即ち、制御部１１３は音声処理部１２５を制御して無線部１１１から出力される符号化された音声信号を電気的な音声信号に変換し、スピーカーを通じて前記音声信号を出力するようにする。制御部１１３は４３５段階で音声通話が終了されたか否かを検査し、音声通話が終了された場合は４３７段階に進行し、音声通話が終了されない場合は前記４３５段階を繰り返す。音声通話が終了された場合、制御部１１３は前記４３７段階でオーディオ信号の復号を再開するように前記復号部１１９を制御した後、前記手続きを完了する。
【００５３】
今まで、図１乃至図４を参照して音声通話が要求される場合、デジタルマルチメディア放送を受信中であるか否かに応じたオーディオ信号の処理方法を説明した。図５は本発明の望ましいさらに他の実施例に従ってデジタルマルチメディア放送の受信要求が発生する場合、音声通話が行われているか否かに応じたオーディオ信号処理方法を示す順序図である。
【００５４】
図５を参照すると、５１１段階で制御部１１３は音声通話要求が発生するか否かを検査する。前記制御部１１３は音声通話のための着信号や発信号が検出される場合、音声通話要求が発生したと判断する。音声通話要求が発生しない場合には前記５１１段階を繰り返し、音声通話要求が発生した場合には５１３段階に進行する。前記５１３段階で制御部１１３は音声通話を接続し５１５段階に進行する。制御部１１３は５１５段階でデジタルマルチメディア放送受信要求があるか否かを検査する。通常的に前記デジタルマルチメディア放送受信要求は使用者がキー入力部１２７の所定のキー入力を通じて放送受信を指示することにより発生される。前記５１５段階で放送受信要求が発生しない場合には前記５１５段階を繰り返す。一方、前記５１５段階で放送受信要求が発生した場合には５１７段階に進行し、受信部１１５を通じてデジタルマルチメディア放送信号の受信を開始する。逆多重化器１１７は前記受信された放送信号をオーディオ信号と映像信号及び文字信号に分離する。ここで、移動端末はデジタルマルチメディア放送の受信中でない場合には前記放送信号を処理するためのモジュールの電源を遮断することが通常的である。この時は前記５１７段階で前記制御部１１３の制御下で前記放送信号処理モジュールに電源を供給する過程が遂行される。
【００５５】
５１９段階で制御部１１３は前記逆多重化器１１７から出力される映像信号と文字信号を復号部１１９で復号し映像処理部１２１を通じて表示部１２３に出力するように制御する。しかし、前記復号部１１９は制御部１１３の制御下で逆多重化器１１７から出力されるオーディオ信号は復号しない。一方、制御部１１３は音声処理部１２５を制御して無線部１１１から出力される符号化された音声信号を電気的な音声信号に変換し、スピーカーを通じて前記音声信号を出力する。一方、本実施例では音声通話を先ず接続しデジタル放送を受信するか否かに応じてオーディオ信号の出力を中止する場合のみを記載しているが、オーディオ信号の出力を中止した後、音声通話を接続するように変形することは該技術分野での通常の知識を持つ者に自明であるだろう。
【００５６】
制御部１１３は５２１段階で音声通話が終了されたか否かを検査し、音声通話が終了された場合は５２３段階に進行し、音声通話が終了されない場合は前記５２１段階を繰り返す。音声通話が終了された場合、制御部１１３は前記５２３段階で使用者により設定された音声通話時放送信号処理モードを検査する。“ＴＶオフ”モードに設定されたと判断される場合には５２７段階に進行し、制御部１１３は前記５２７段階で放送信号の受信を中止する。ここで、本発明の明細書では前記５２７段階で放送信号の受信を中止する場合を仮定したが、放送信号の受信は続けて逆多重化器１１７や復号部１１９を制御して受信された放送信号の処理を中止するように変形することも可能であることに注意すべきである。
【００５７】
一方、前記５２３段階で“ＴＶオフ”モードに設定されないと判断される場合には５２５段階に進行する。制御部１１３は前記５２５段階で中断されたオーディオ信号の復号を再開するように復号部１１９を制御し、前記手続きを完了する。
【００５８】
図６は本発明の望ましいさらに他の実施例に従ってデジタルマルチメディア放送受信要求時、音声通話が行われているか否かに応じてオーディオ信号と文字信号を処理する方法を示す順序図である。本実施例ではデジタルマルチメディア放送の受信中、音声通話のための着信号が発生する場合を仮定し説明したが、発信号が発生する場合にも適用可能であるように容易に変形できることに注意すべきである。
【００５９】
６１１段階で制御部１１３は音声通話のための着信号が発生されるか否かを検査する。着信号が発生された場合は６１３段階に進行し、着信号が発生されない場合は前記６１１段階を繰り返す。前記６１３段階で制御部１１３は使用者が設定したモードに応じて、ベルの音、振動またはランプなどを用いて着信号が発生されたことを使用者に知らせ、６１５段階に進行する。
【００６０】
前記６１５段階で制御部１１３は使用者から通話キーが入力されたか否かを検査する。通話キーが入力された場合は使用者から音声通話が要求されると判断し６１９段階に進行し、通話キー以外のキーが入力された場合には６１７段階に進行し入力されたキーに該当する機能を遂行する。ここで、前記通話キーは呼接続を指示するどのようなキーの入力やどのような動作にも変形できることは上述したようである。
【００６１】
前記６１９段階で前記制御部１１３は現在デジタルマルチメディア放送を受信中であるか否かを検査する。前記６１９段階でデジタルマルチメディア放送受信中であると判断される場合には６２１段階に進行し、放送受信中でない場合には６３５段階に進行する。前記６３５段階で前記制御部１１３は音声通話を接続し、６３７段階で音声通話が終了されたか否かを検査する。前記６３７段階で音声通話が終了されない場合には前記６３７段階を繰り返し、音声通話が終了された場合は前記手続きを完了する。
【００６２】
一方、前記６１９段階でデジタルマルチメディア放送受信中であると判断される場合には、制御部１１３は６２１段階で受信される前記放送信号に文字信号が含まれているか否かを検査する。上述したように文字信号は映像信号やオーディオ信号と連関される題目や歌詞、台詞の字幕データを含んで構成される。前記６２１段階で文字信号が受信されない場合には６２７段階に進行し、文字信号が受信される場合には６２３段階に進行する。前記６２３段階で制御部１１３は現在受信される文字信号が表示部１２３に表示されているか否かを検査する。前記文字信号は使用者の選択によって表示部１２３に表示されているか否かが決定されることができる。使用者が文字信号を表示しないように選択した場合には制御部１１３は復号部１１９を制御して文字信号を復号しないか、または復号部１１９で復号された文字信号を映像処理部１２１で表示部１２３に提供しないように前記映像処理部１２１を制御することができる。
【００６３】
前記６２３段階で文字信号が表示部１２３に表示されている場合には６２７段階に進行し、表示されていない場合には６２５段階に進行する。前記６２５段階で制御部１１３は復号部１１９、または映像処理部１２１を制御して文字信号が表示部１２３に表示されるようにし、６２７段階に進行する。前記６２７段階で制御部１１３はオーディオ信号の復号を中止するように復号部１１９を制御した後、６２９段階で音声通話を接続する。即ち、制御部１１３は音声処理部１２５を制御して無線部１１１から出力される符号化された音声信号を電気的な音声信号に変換し、スピーカーを通じて前記音声信号を出力するようにする。制御部１１３は６３１段階で音声通話が終了されたか否かを検査し、音声通話が終了された場合は６３３段階に進行し、音声通話が終了されない場合は前記６３１段階を繰り返す。音声通話が終了された場合、制御部１１３は前記６３３段階でオーディオ信号の復号を再開するように前記復号部１１９を制御した後、前記手続きを完了する。
【００６４】
以上の説明では、具体的な実施例に上げて説明してきたが、当該技術分野で通常の知識をもつ者にとって本発明の思想を外れない範囲内でさまざまな変形が可能なことは勿論である。したがって、本発明は上述された具体的な実施例によって定められてはいけなく、特許請求の範囲とそれに均等なものによって定められるべきである。
【図面の簡単な説明】
【００６５】
【図１】本発明の望ましい実施例に従って移動端末の構成を示すブロック図である。
【図２】本発明の望ましい一実施例に従って音声通話のための着信号発生時、デジタルマルチメディア放送を受信中であるか否かに応じたオーディオ信号の処理方法を示す順序図である。
【図３】本発明の望ましい他の実施例に従って音声通話のための発信号要求が発生する場合、デジタルマルチメディア放送を受信中であるか否かに応じたオーディオ信号の処理方法を示す順序図である。
【図４】本発明の望ましいさらに他の実施例に従うデジタルマルチメディア放送の受信中に音声通話が要求される場合、使用者設定に応じて放送信号を処理する方法を示す順序図である。
【図５】本発明の望ましいさらに他の実施例に従ってデジタルマルチメディア放送の受信要求が発生する場合、音声通話が行われているか否かに応じたオーディオ信号処理方法を示す順序図である。
【図６】本発明の望ましいさらに他の実施例に従ってデジタルマルチメディア放送受信要求時、音声通話が行われているか否かに応じてオーディオ信号と文字信号を処理する方法を示す順序図である。
【符号の説明】
【００６６】
１１１  無線部
１１３  制御部
１１５  受信部
１１７  逆多重化器
１１９  復号部
１２１  映像処理部
１２３  表示部
１２５  音声処理部
１２７  キー入力部
【図１】
2005045753.tif 000003
【図２】
2005045753.tif 000004
【図３】
2005045753.tif 000005
【図４】
2005045753.tif 000006
【図５】
2005045753.tif 000007
【図６】
2005045753.tif 000008